(57)【要約】      （修正有）【課題】複数のゴルフクラブ間でのアドレス時の違和感を低減することができるゴルフクラブセットを提供する。【解決手段】ロフト角が異なる複数のゴルフクラブにより構成されたゴルフクラブセットであって、フェース部において、ソール部との境界である下縁線は下方に向かって凸となるように湾曲しており、下縁線上に、ゴルフクラブヘッドが基準状態にあるときの最下点である第１点、トゥ側の端部である第２点、及びトゥ−ヒール方向において第１点と第２点との中点である第３点を規定したとき、下縁線は、第２点から第３点まで延びる第１トゥ側下縁線と、第１点から第２点まで延びる第２トゥ側下縁線と、を備え、複数のゴルフクラブのうち、ロフト角の小さい第１ゴルフクラブとロフト角の大きい第２ゴルフクラブにおいては、第２ゴルフクラブの第１トゥ側下縁線は、第１ゴルフクラブの第１トゥ側下縁線よりも、曲率半径が大きくなるように構成されている。【選択図】図６
2019165906.tif 000002
【特許請求の範囲】
【請求項１】
ロフト角が異なる複数のゴルフクラブにより構成されたゴルフクラブセットであって、
前記各ゴルフクラブは、シャフトと、ゴルフクラブヘッドと、を有し、
前記各ゴルフクラブヘッドは、
クラウン部と、
フェース部と、
ソール部と、
前記シャフトが取り付けられるホーゼル部と、を備え、
前記フェース部において、前記ソール部との境界である下縁線は、下方に向かって凸となるように湾曲しており、
前記下縁線上に、前記ゴルフクラブヘッドが基準状態にあるときの最下点である第１点、トゥ側の端部である第２点、及びトゥ−ヒール方向において前記第１点と第２点との中点である第３点を規定したとき、前記下縁線は、前記第２点から前記第３点まで延びる第１トゥ側下縁線と、前記第１点から前記第３点まで延びる第２トゥ側下縁線と、を備え、
前記複数のゴルフクラブのうち、少なくとも一組の、前記ロフト角の小さい第１ゴルフクラブと前記ロフト角の大きい第２ゴルフクラブにおいては、
前記第２ゴルフクラブの前記第１トゥ側下縁線は、前記第１ゴルフクラブの前記第１トゥ側下縁線よりも、曲率半径が小さくなるように構成されている、ゴルフクラブセット。
【請求項２】
前記第１ゴルフクラブの前記第１トゥ側下縁線の曲率半径と、前記第２ゴルフクラブの前記第１トゥ側下縁線の曲率半径との差が、２０ｍｍ以内である、請求項１に記載のゴルフクラブセット。
【請求項３】
前記第１トゥ側下縁線の曲率半径が２０〜４０ｍｍである前記ゴルフクラブが含まれている、請求項１または２に記載のゴルフクラブセット。
【請求項４】
前記第２ゴルフクラブの前記第２トゥ側下縁線は、前記第１ゴルフクラブの前記第２トゥ側下縁線よりも、曲率半径が大きくなるように、構成されている、請求項１から３のいずれかに記載のゴルフクラブセット。
【請求項５】
前記第１ゴルフクラブの前記第２トゥ側下縁線の曲率半径と、前記第２ゴルフクラブの前記第２トゥ側下縁線の曲率半径との差が、４０ｍｍ以内である、請求項４に記載のゴルフクラブセット。
【請求項６】
前記第２トゥ側下縁線の曲率半径が６０〜１２０ｍｍである前記ゴルフクラブが含まれている、請求項４または５に記載のゴルフクラブセット。
【請求項７】
前記各ゴルフクラブヘッドのトゥ−ヒール方向の長さが、６０〜１２０ｍｍである、請求項１から６のいずれかに記載のゴルフクラブセット。
【請求項８】
ロフト角が異なる複数のゴルフクラブにより構成されたゴルフクラブセットであって、
前記各ゴルフクラブは、シャフトと、ゴルフクラブヘッドと、を有し、
前記各ゴルフクラブヘッドは、
クラウン部と、
フェース部と、
ソール部と、
前記シャフトが取り付けられるホーゼル部と、を備え、
前記フェース部において、前記ソール部との境界である下縁線は、下方に向かって凸となるように湾曲しており、
前記下縁線上に、前記ゴルフクラブヘッドが基準状態にあるときの最下点である第１点、基準状態にある前記シャフトの中心軸線と設置面との交点を通り、トゥ−ヒール方向に垂直な平面と前記下縁線との交点を第４点、及びトゥ−ヒール方向において前記第１点と第４点との中点である第５点を規定したとき、前記下縁線は、前記第４点から前記第５点まで延びる第１ヒール側下縁線と、前記第１点から前記第５点まで延びる第２ヒール側下縁線と、を備え、
前記複数のゴルフクラブのうち、少なくとも一組の、前記ロフト角の小さい第１ゴルフクラブと前記ロフト角の大きい第２ゴルフクラブにおいては、
前記第２ゴルフクラブの前記第１ヒール側下縁線は、前記第１ゴルフクラブの前記第１ヒール側下縁線よりも、曲率半径が小さくなるように構成されている、ゴルフクラブセット。
【請求項９】
前記第２ゴルフクラブの前記第２ヒール側下縁線は、前記第１ゴルフクラブの前記第２ヒール側下縁線よりも、曲率半径が大きくなるように、構成されている、請求項８に記載のゴルフクラブセット。
【発明の詳細な説明】
【技術分野】
【０００１】
本発明は、ゴルフクラブセットに関する。
【背景技術】
【０００２】
ゴルフクラブセットは、一般的に、ロフト角の異なる複数のクラブが含まれている（例えば、特許文献１）。そのうち、ロフト角の小さいクラブは、飛距離を伸ばすときに用いられる。一方、ロフト角の大きいクラブは、グリーンまでの距離が短いショットに用いられ、グリーン上の狭いエリアを狙う機会が多い。そのため、ロフト角の大きいクラブでは、ボールをグリーン上に止めるためにバックスピン量を多くするのが有効である。そして、プレイ中には、ゴルフクラブセットの中から上記のような目的に応じてゴルフクラブを選択する。
【先行技術文献】
【特許文献】
【０００３】
【特許文献１】特開２０１５−２９６２８号公報
【発明の概要】
【発明が解決しようとする課題】
【０００４】
ところで、上記のようなゴルフクラブセットの中から、ゴルフクラブを選択すると、デザインは統一されているものの、ロフト角が相違するため、アドレスを行うときには、ゴルフクラブごとにゴルフクラブヘッドの見え方が相違する。そのため、ゴルフクラブを変えてプレーを行う際には、違和感を感じ、アドレスを行いづらいおそれがある。本発明は、この問題を解決するためになされたものであり、複数のゴルフクラブ間でのアドレス時の違和感を低減することができる、ゴルフクラブヘッドを提供することを目的とする。
【課題を解決するための手段】
【０００５】
本発明は、ロフト角が異なる複数のゴルフクラブにより構成されたゴルフクラブセットであって、前記各ゴルフクラブは、シャフトと、ゴルフクラブヘッドと、を有し、前記各ゴルフクラブヘッドは、クラウン部と、フェース部と、ソール部と、前記シャフトが取り付けられるホーゼル部と、を備え、前記フェース部において、前記ソール部との境界である下縁線は、下方に向かって凸となるように湾曲しており、前記下縁線上に、前記ゴルフクラブヘッドが基準状態にあるときの最下点である第１点、トゥ側の端部である第２点、及びトゥ−ヒール方向において前記第１点と第２点との中点である第３点を規定したとき、前記下縁線は、前記第２点から前記第３点まで延びる第１トゥ側下縁線と、前記第１点から前記第２点まで延びる第２トゥ側下縁線と、を備え、前記複数のゴルフクラブのうち、少なくとも一組の、前記ロフト角の小さい第１ゴルフクラブと前記ロフト角の大きい第２ゴルフクラブにおいては、前記第２ゴルフクラブの前記第１トゥ側下縁線は、前記第１ゴルフクラブの前記第１トゥ側下縁線よりも、曲率半径が小さくなるように構成されている。
【０００６】
上記ゴルフクラブセットにおいては、前記第１ゴルフクラブの前記第１トゥ側下縁線の曲率半径と、前記第２ゴルフクラブの前記第１トゥ側下縁線の曲率半径との差を、２０ｍｍ以内とすることができる。
【０００７】
上記ゴルフクラブセットにおいては、前記第１トゥ側下縁線の曲率半径が２０〜４０ｍｍである前記ゴルフクラブを含むことができる。
【０００８】
上記ゴルフクラブセットにおいては、前記第２ゴルフクラブの前記第２トゥ側下縁線が、前記第１ゴルフクラブの前記第２トゥ側下縁線よりも、曲率半径が大きくなるように、構成することができる。
【０００９】
上記ゴルフクラブセットにおいては、前記第１ゴルフクラブの前記第２トゥ側下縁線の曲率半径と、前記第２ゴルフクラブの前記第２トゥ側下縁線の曲率半径との差を、４０ｍｍ以内とすることができる。
【００１０】
上記ゴルフクラブセットにおいては、前記第２トゥ側下縁線の曲率半径が６０〜１２０ｍｍである前記ゴルフクラブを含むことができる。
【００１１】
上記ゴルフクラブセットにおいては、前記各ゴルフクラブヘッドのトゥ−ヒール方向の長さを、６０〜１２０ｍｍとすることができる。
【００１２】
上記ゴルフクラブセットにおいては、前記下縁線上に、前記第１点、基準状態にある前記シャフトの中心軸線と設置面との交点を通り、トゥ−ヒール方向に垂直な平面と前記下縁線との交点を第４点、及びトゥ−ヒール方向において前記第１点と第４点との中点である第５点を規定したとき、前記下縁線は、前記第４点から前記第５点まで延びる第１ヒール側下縁線と、前記第１点から前記第５点まで延びる第２ヒール側下縁線と、を備え、前記複数のゴルフクラブのうち、少なくとも一組の、前記ロフト角の小さい第１ゴルフクラブと前記ロフト角の大きい第２ゴルフクラブにおいては、前記第２ゴルフクラブの前記第１ヒール側下縁線は、前記第１ゴルフクラブの前記第１ヒール側下縁線よりも、曲率半径が小さくなるように構成することができる。
【００１３】
上記ゴルフクラフセットにおいて、前記第２ゴルフクラブの前記第２ヒール側下縁線は、前記第１ゴルフクラブの前記第２ヒール側下縁線よりも、曲率半径が大きくなるように、構成することができる。
【００１４】
本発明に係る第２のゴルフクラブセットは、ロフト角が異なる複数のゴルフクラブにより構成されたゴルフクラブセットであって、前記各ゴルフクラブは、シャフトと、ゴルフクラブヘッドと、を有し、前記各ゴルフクラブヘッドは、クラウン部と、フェース部と、ソール部と、前記シャフトが取り付けられるホーゼル部と、を備え、前記フェース部において、前記ソール部との境界である下縁線は、下方に向かって凸となるように湾曲しており、前記下縁線上に、前記ゴルフクラブヘッドが基準状態にあるときの最下点である第１点、基準状態にある前記シャフトの中心軸線と設置面との交点を通り、トゥ−ヒール方向に垂直な平面と前記下縁線との交点を第４点、及びトゥ−ヒール方向において前記第１点と第４点との中点である第５点を規定したとき、前記下縁線は、前記第４点から前記第５点まで延びる第１ヒール側下縁線と、前記第１点から前記第５点まで延びる第２ヒール側下縁線と、を備え、前記複数のゴルフクラブのうち、少なくとも一組の、前記ロフト角の小さい第１ゴルフクラブと前記ロフト角の大きい第２ゴルフクラブにおいては、前記第２ゴルフクラブの前記第１ヒール側下縁線は、前記第１ゴルフクラブの前記第１ヒール側下縁線よりも、曲率半径が小さくなるように構成されている。
【００１５】
上記第２のゴルフクラブセットにおいて、前記第２ゴルフクラブの前記第２ヒール側下縁線は、前記第１ゴルフクラブの前記第２ヒール側下縁線よりも、曲率半径が大きくなるように、構成されている、請求項８に記載のゴルフクラブセット。
【発明の効果】
【００１６】
本発明に係るゴルフクラブヘッドによれば、複数のゴルフクラブ間でのアドレス時の違和感を低減することができる。
【図面の簡単な説明】
【００１７】
【図１】本発明の一実施形態に係るゴルフクラブセットに含まれるゴルフクラブヘッドの斜視図である。
【図２】図１のゴルフクラブヘッドの基準状態での平面図である。
【図３】図２のＡ−Ａ線断面図である。
【図４Ａ】フェース部の境界を説明する図である。
【図４Ｂ】フェース部の境界を説明する図である。
【図５】フェース部の下縁線を説明するゴルフクラブヘッドの正面図である。
【図６】本発明のゴルフクラブセットに含まれるロフト角の異なるゴルフクラブヘッドの正面図である。
【図７】本発明のゴルフクラブセットに含まれるロフト角の異なるゴルフクラブヘッドのフェース部を重ねた図である。
【図８】従来のゴルフクラブセットに含まれるロフト角の異なるゴルフクラブヘッドの正面図である。
【図９】図８の平面図である。
【図１０】本発明のゴルフクラブセットに含まれるロフト角の異なるゴルフクラブヘッドの平面図である。
【図１１】フェース部の下縁線を説明するゴルフクラブヘッドの正面図である。
【発明を実施するための形態】
【００１８】
以下、本発明に係るゴルフクラブセットの一実施形態について、図面を参照しつつ説明する。本実施形態に係るゴルフクラブセットを構成するゴルフクラブは、ユーティリティ型（ハイブリッド型ともいう）のゴルフクラブであり、例えば、クラブ長が３６〜４２インチ、ロフト角が１５〜３５°の範囲にある２〜８番ユーティリティである。そして、後述するように、各クラブは、主として、ロフト角などが相違している。以下では、まず、ゴルフクラブの１つを例に取り、共通の構造を概説した後、ゴルフクラブセットにおける、各ゴルフクラブの相違点について、詳細に説明する。
【００１９】
＜１．ゴルフクラブヘッドの概要＞
まず、本実施形態に係るゴルフクラブセットのうちの１つのゴルフクラブ（例えば、ユーティリティ型ゴルフクラブ）を例に取り、そのゴルフクラブヘッドについて説明する。図１は本実施形態に係るゴルフクラブセットのうちの１つのゴルフクラブヘッドの基準状態の斜視図、図２は図１の平面図、図３は図２のＡ−Ａ線断面図である。なお、ゴルフクラブヘッドの基準状態については、後述する。
【００２０】
図１〜図３に示すように、このゴルフクラブヘッド（以下、単に「ヘッド」ということがある）１００は、内部空間を有する中空構造であり、フェース部１、クラウン部２、ソール部３、及びホーゼル部４によって壁面が形成されたユーティリティ型のゴルフクラブヘッドである。
【００２１】
フェース部１は、ボールを打球する面であるフェース面を有しており、クラウン部２はフェース部１と隣接し、ヘッド１００の上面を構成する。ソール部３は、主としてヘッド１００の底面を構成し、フェース部１とクラウン部２以外のヘッド１００の外周面を構成する。すなわち、ヘッド１００の底面のほか、フェース部１のトウ側からヘッドのバック側を通りフェース部１のヒール側へと延びる部位もソール部３の一部である。さらに、ホーゼル部４は、クラウン部２のヒール側に隣接して設けられる部位であり、ゴルフクラブのシャフト（図示省略）が挿入される挿入孔４１を有している。そして、この挿入孔４１の中心軸線Ｚは、シャフトの軸線に一致している。
【００２２】
ここで、ゴルフクラブヘッド１００を地面に設置するときの基準状態について説明する。まず、図２に示すように、上記中心軸線Ｚが地面に対して垂直な平面Ｐ１に含まれ、且つ所定のライ角及びリアルロフト角で地面上にヘッドが載置された状態を基準状態と規定する。そして、上記平面Ｐ１を基準垂直面と称する。また、図２に示すように、上記基準垂直面Ｐ１と地面との交線の方向をトゥ−ヒール方向と称し、このトゥ−ヒール方向に対して垂直であり且つ地面に対して平行な方向をフェース−バック方向と称することとする。また、トゥ−ヒール方向及びフェース−バック方向に直交する方向を上下方向と称することがある。
【００２３】
本実施形態において、フェース部１とクラウン部２、及びフェース部１とソール部３との境界は、次のように定義することができる。すなわち、両者の間に稜線が形成されている場合には、これが境界となる。一方、明確な稜線が形成されていない場合には、図４Ａに示されるように、ヘッド重心ＧとスイートスポットＳＳとを結ぶ直線Ｎを含む各断面Ｅ１、Ｅ２、Ｅ３…において、図４Ｂに示されるように、フェース外面輪郭線Ｌｆの曲率半径ｒがスイートスポット側からフェース外側に向かって初めて２００ｍｍとなる位置Ｐｅがフェース部１の周縁となり、これがクラウン部２またはソール部３との境界として定義される。なお、スイートスポットＳＳとは、ヘッド重心Ｇを通るフェース面の法線（直線Ｎ）とこのフェース面との交点である。また、上述した境界Ｐｅのうち、フェース部１とソール部３との境界を、本明細書中では、フェース部１の下縁線７と称することとする。
【００２４】
本実施形態において、クラウン部２とソール部３との境界は次のように定義することができる。すなわち、クラウン部２とソール部３との間に稜線が形成されている場合には、これが境界となる。一方、これらの間に明確な稜線が形成されていない場合には、ヘッドを基準状態に設置し、これをヘッド１００の重心の真上から見たときの輪郭が境界となる。
【００２５】
ヘッド１００は、例えば、比重がほぼ４．３〜４．５程度のチタン合金（Ｔｉ−６Ａｌ−４Ｖ、Ｔｉ−８Ａｌ−１Ｍｏ−１Ｖ等）で形成することができる。また、チタン合金以外にも、例えばステンレス鋼、マレージング鋼、アルミニウム合金、マグネシウム合金、またはアモルファス合金などの中から１種または２種以上を用いて形成することもできる。
【００２６】
このゴルフクラブヘッド１００の体積は、例えば、９０ｃｍ3以上、２００ｃｍ3以下が望ましい。また、各ゴルフクラブヘッドのトゥ−ヒール方向の長さＹは、６０〜１２０ｍｍであることが好ましい。ここでいうトゥ−ヒール方向の長さとは、図５に示すように、シャフトの中心軸Ｚを延長し、設置面Ｔ（地面）と接する位置を基準点Ｑとすると、基準状態のヘッドを正面から見たときの最もトゥ側の点と、基準点Ｑとのトゥ−ヒール方向の長さＹをいう。
【００２７】
＜２．ゴルフクラブヘッドの組立構造＞
本実施形態に係るゴルフクラブヘッド１００は、図３に示すように、クラウン部２及びソール部３を有するヘッド本体１０１と、フェース部１及びその周縁から延びる周縁部１５を有するカップ状に形成されたフェース用部材１０２と、を組み立てることで構成される。このヘッド本体１０１は、クラウン部２及びソール部３で囲まれた開口１８を有し、この開口１８を塞ぐようにフェース用部材１０２が取り付けられる。すなわち、フェース用部材１０２の周縁部１５の端面が、ヘッド本体１０１の開口１８の端面と突き合わされ、これらが、溶接によって接合される（いわゆるカップフェース構造）。そして、フェース用部材１０２は、ヘッド本体１０１の開口１８の縁部に取付けられることで、ヘッド本体１０１と一体化され、これによって、フェース用部材１０２の周縁部１５は、ヘッド１００のクラウン部２及びソール部３の一部として機能する。
【００２８】
したがって、フェース用部材１０２の周縁部１５がヘッド本体１０１に取付けられることで一体的に形成される面が、ヘッド１００のクラウン部２及びソール部３を構成する。そのため、厳密には、ヘッド本体１０１のクラウン部２及びソール部３は、ヘッド１００のクラウン部２及びソール部３の一部ではあるが、本明細書では、これらを区別することなく、ヘッド本体１０１の各部も、単にクラウン部２、ソール部３と称することがある。
【００２９】
＜３．クラウン部の構造＞
続いて、クラウン部２について説明する。図１〜図３に示すように、クラウン部２は、フェース部１側に配置される隆起部２１と、隆起部２１よりもバック側に配置される基部２２とを備えている。隆起部２１は、主として、フェース部１に沿ってトゥ−ヒール方向に延びる帯状の領域である。一方、基部２２は、隆起部２１よりも低い位置でクラウン部２の大半を占める領域であり、その周縁はソール部３と接している。そして、隆起部２１と基部２２との境界には段差を構成する傾斜面２３が形成されている。これにより、隆起部２１と基部２２との段差の分だけ、フェース部１の上下方向の高さが高くなっている。
【００３０】
この傾斜面２３は、バック側ににいくにしたがって、下方に延びるように構成されている。これにより、ゴルフクラブヘッド１００を基準状態で設置したとき、上方から傾斜面２３を視認することができる。すなわち、アドレスに入ったゴルファーから視認可能となっている。そして、傾斜面２３は、隆起部２１に沿って形成されているため、隆起部２１と同様に、平面視において帯状に形成されている。
【００３１】
図３に示すように、隆起部２１のフェース−バック方向の幅Ｄは、例えば、平面視において、５〜２５ｍｍとすることが好ましく、７〜２０ｍｍとすることがさらに好ましい。
【００３２】
また、傾斜面２３の平面視におけるフェース−バック方向の幅Ｗは、例えば、１〜９ｍｍとすることが好ましく、２〜７ｍｍであることがさらに好ましい。さらに、傾斜面２３の高さＨは、例えば、０．５〜８ｍｍとすることが好ましく、０．５〜６ｍｍとすることがさらに好ましく、０．５〜５ｍｍとすることが特に好ましい。
【００３３】
＜４．ゴルフクラブヘッドの製造方法＞
次に、上記のゴルフクラブヘッドの製造方法の一例について説明する。まず、上述したヘッド本体１０１とフェース用部材１０２とを準備する。このようなヘッド本体１０１及びフェース用部材１０２は、種々の方法で作製することができる。例えば、ヘッド本体１０１は、公知のロストワックス精密鋳造法などの鋳造によって製造することができる。また、フェース用部材１０２は、例えば、鍛造製法や、平板のプレス加工、鋳造等により製造することができる。また、フェース用部材１０２を圧延材で形成する場合、加工前の平板は、圧延方向が、フェース部１のトゥ側の上部からヒール側の下部に向かう方向とほぼ一致するように加工される。
【００３４】
そして、これらを、例えば、溶接（ＴＩＧ（タングステン−不活性ガス）溶接、プラズマ溶接、レーザー溶接、ロウ付けなど）により接合した後、所定の塗装を施すと、ゴルフクラブヘッドが完成する。
【００３５】
＜５．ゴルフクラブセットにおけるゴルフクラブ間の相違点＞
まず、図５を参照しつつ、フェース部１の下縁線７の規定を行う。図５は、基準状態にあるゴルフクラブヘッドの正面図である。上述したように、下縁線７は、フェース部１とソール部３との境界であり、下方に凸となるように湾曲している。そして、ゴルフクラブヘッドが基準状態にあるときの、下縁線７上の最下点をＦ１（第１点）、トゥ側の端部をＦ２（第２点）とする。また、トゥ−ヒール方向において、Ｆ１とＦ２との中点（第３点）をＦ３とする。そして、下縁線のうち、Ｆ２とＦ３との間で延びる部分を第１トゥ側下縁線７１１、Ｆ１とＦ２との間で延びる部分を第２トゥ側下縁線７１２と規定する。
【００３６】
次に、ゴルフクラブセットにおけるロフト角の異なるクラブの相違点について、図６を参照しつつ説明する。図６は、基準状態にある複数のゴルフクラブヘッドをフェース側から見た正面図である。なお、図６では、一例として、本実施形態に係るゴルフクラブセットのうち、番手が隣接する３つのゴルフクラブのヘッドを示しており、ロフト角が小さい順に、３番ユーティリティ（Ｕ＃３）、４番ユーティリティ（Ｕ＃４）、及び５番ユーティリティ（Ｕ＃５）、が、上から下にこの順で並んでいる。なお、図６においては、これらゴルフクラブ間の相違について、発明の特徴を明確にするため、各ヘッドをやや誇張して記載している。したがって、図６は、後述する実際の寸法などとは相違するが、これによって発明の本質が変わるものではない。なお、以下の説明でヘッドの寸法の説明をするときには、特に断りのない限り、基準状態での寸法を指すこととする。また、本実施形態におけるゴルフクラブ（Ｕ＃３，Ｕ＃４，Ｕ＃５）のうちのいずれか２つにおいて、ロフト角が小さいクラブが本発明の第１ゴルフクラブに相当し、ロフト角が大きいクラブが本発明の第２ゴルフクラブに相当する。
【００３７】
図６では、３つのゴルフクラブを基準状態で、設置面Ｔに設置しており、上述した下縁線７上の３つの点Ｆ１，Ｆ２，Ｆ３、及び第１トゥ側下縁線７１１、第２トゥ側下縁線７１２を示している。そして、本実施形態に係るゴルフクラブでは、ロフト角が大きいほど、第１トゥ側下縁線７１１の曲率半径が小さくなり、且つロフト角が大きいほど、第２トゥ側下縁線７１２の曲率半径が大きくなるようにフェース部１が形成されている。ここで、Ｕ＃３，Ｕ＃４，Ｕ＃５の第１トゥ側下縁線７１１の曲率半径をＭ１，Ｍ２，Ｍ３とし、Ｕ＃３，Ｕ＃４，Ｕ＃５の第２トゥ側下縁線７１２の曲率半径をＮ１，Ｎ２，Ｎ３とすると、Ｍ１＞Ｍ２＞Ｍ３、Ｎ１＜Ｎ２＜Ｎ３の関係を充足する。
【００３８】
この点を、図７を用いて詳細に説明する。図７は、図６に示す各クラブ（Ｕ＃３，Ｕ＃４，Ｕ＃５）のフェース部１を、Ｆ１を一致させた上で、重ねて表示したものである。同図に示すように、例えば、ロフト角が最も大きいＵ＃５の第１トゥ側下縁線７１１は、他のクラブよりも下向きに大きく湾曲しており、曲率半径が小さくなっている。一方、Ｕ＃５の第２トゥ側下縁線７１２は、Ｕ＃３，Ｕ＃４に比べ直線に近い形状となっており、曲率半径が大きくなっている。各曲率半径は、具体的には、例えば、以下のように設定することができるが、これに限定されるものではない。
【００３９】
【表１】
2019165906.tif 000003
【００４０】
また、第１トゥ側下縁線７１１の曲率半径は、２０〜４０ｍｍであることが好ましい。そして、番手の隣接するクラブ間（例えば、Ｕ＃３とＵ＃４）での第１トゥ側下縁線７１１の曲率半径の差は、１〜２０ｍｍであることが好ましい。本実施形態によれば後述するように番手間のアドレス時の違和感を小さくすることができるが、特に、曲率半径の差が大きすぎると、逆に、番手間のアドレス時の違和感が大きくなってきてしまうからである。
【００４１】
一方、第２トゥ側下縁線７１２の曲率半径は、６０〜１２０ｍｍであることが好ましい。そして、番手の隣接するクラブ間（例えば、Ｕ＃３とＵ＃４）での第２トゥ側下縁線７１２の曲率半径の差は、１〜４０ｍｍであることが好ましい。本実施形態によれば、後述するように番手間のアドレス時の違和感を小さくすることができるが、特に、曲率半径の差が大きすぎると、逆に、番手間のアドレス時の違和感が大きくなってきてしまうからである。
【００４２】
＜６．特徴＞
以上の実施形態によれば、次の効果を得ることができる。
【００４３】
(1) ロフト角が大きくなるほど、第１トゥ側下縁線７１１の曲率半径が小さくなるように構成されている。そのため、次のような効果を得ることができる。まず、図８に示すように、従来のゴルフクラブセットでは、各ゴルフクラブのフェース部１の下縁線７は、番手が変ってもほぼ同じ形状に形成されている。そのため、図９に示すように、ロフト角が大きいゴルフクラブほど、アドレス時には、ゴルファーから見ると、第１トゥ側下縁線７１１が、トゥ側に向かうにつれて、よりバック側に向かって傾斜しているように見える。これにより、番手毎に下縁線７の湾曲の度合いが違って見えるため、クラブが変ったときに、アドレス時に違和感を覚え、アドレスがし難く感じるおそれがある。また、第１トゥ側下縁線７１１がバック側に傾斜しているように見えると、アドレス時にヘッドをターゲット方向に合わせにくく感じるおそれもあり、特に、右利きのゴルファーの場合、意図した打ち出し方向よりも右に打ち出されるように感じるおそれもある。
【００４４】
そこで、本実施形態では、図６で説明したように、各ゴルフクラブヘッド（Ｕ＃３，Ｕ＃４，Ｕ＃５）における、フェース部１の第１トゥ側下縁線７１１の曲率半径が、ロフト角が大きいほど、小さくなるように構成されている。そのため、図１０に示すように、ロフト角が大きくなっても第１トゥ側下縁線７１１がより前方に膨らんで見えるため、番手間で、第１トゥ側下縁線７１１の見え方の相違を小さくすることができる。その結果、番手間のアドレス時の違和感を小さくすることができ、クラブが変ったときのアドレスをし易くすることができる。
【００４５】
(2) また、本実施形態に係るゴルフクラブセットでは、第１トゥ側下縁線７１１の構成に加え、ロフト角が大きくなるほど、第２トゥ側下縁線７１２の曲率半径が大きくなるように構成されている。これにより、ロフト角が大きくなっても第２トゥ側下縁線７１２が従来よりも直線的に見える。すなわち、すべてのゴルフクラブヘッド（Ｕ＃３，Ｕ＃４，Ｕ＃５）の第２トゥ側下縁線７１２が、同様に直線的に見えるため、番手間のアドレス時の違和感を小さくすることができる。その結果、クラブが変ったときのアドレスをし易くすることができる。
【００４６】
なお、ロフト角が大きくなっても各ゴルフクラブの第２トゥ側下縁線７１２の曲率半径が同じである場合、アドレス時にはゴルファーから見ると、ロフト角が大きいゴルフクラブほど、第２トゥ側下縁線７１２がトゥ側に向かうにつれて、よりバック側に傾斜しているように見える。そのため、アドレス時にヘッドをターゲット方向に合わせにくく感じるおそれがあり、特に、右利きのゴルファーの場合、意図した打ち出し方向よりも右に打ち出されるように感じるおそれもある。これに対し、上記のように、ロフト角が大きくなるほど、第２トゥ側下縁線７１２の曲率半径を大きくすることで、このようなアドレス時の違和感を小さくすることができる。
【００４７】
(3) クラウン部２において、隆起部２１が基部２２よりも、傾斜面２３を介して高く形成されているため、隆起部２１が高くなった分だけ、フェース部１の高さを高くすることができる。そのため、フェース部１における反発性能を向上することができる。また、クラウン部２においては、隆起部２１のみが高く形成され、クラウン部２の大半を占める基部２２は隆起部２１よりも低い位置に形成されているため、ヘッドの重心を低くすることができる。
【００４８】
＜７．変形例＞
以上、本発明の一実施形態について説明したが、本発明は上記実施形態に限定されるものではなく、その趣旨を逸脱しない限りにおいて、種々の変更が可能である。また、以下の変形例は、適宜組み合わせることができる。例えば、以下の変更が可能である。
【００４９】
＜７．１＞
上記実施形態では、ロフト角が大きいほど、第１トゥ側下縁線７１１の曲率半径が小さくなり、且つ第２トゥ側下縁線７１２の曲率半径が大きくなっているが、少なくとも第１トゥ側下縁線７１１の曲率半径が小さくなっていればよい。すなわち、ロフト角が大きいほど、第１トゥ側下縁線７１１の曲率半径が小さくなっていれば、上述したアドレス時の違和感を小さくすることができる。但し、第１トゥ側下縁線７１１及び第２トゥ側下縁線７１２の両方の曲率半径が上記のように調整されていれば、アドレス時の違和感をより低減することができる。
【００５０】
＜７．２＞
上記実施形態では、フェース部の下縁線のうち、トゥ側について説明したが、ヒール側についても同様に設定することができる。例えば、図１１に示すように、ゴルフクラブヘッドが基準状態にあるときの、上述した点Ｑを通り、トゥ−ヒール方向に対して垂直な平面と下縁線７との交点をＦ４とする。また、トゥ−ヒール方向において、Ｆ１とＦ４との中点をＦ５とする。そして、下縁線７のうち、Ｆ５とＦ４との間で延びる部分を第１ヒール側下縁線７２１、Ｆ１とＦ５との間で延びる部分を第２ヒール側下縁線７２２と規定する。
【００５１】
以上のように規定したとき、ロフト角が大きいほど、第１ヒール側下縁線７２１の曲率半径を小さくすることができる。すなわち、Ｕ＃３，Ｕ＃４，Ｕ＃５の第１ヒール側下縁線７２１の曲率半径をＣ１，Ｃ２，Ｃ３とすると、Ｃ１＞Ｃ２＞Ｃ３の関係を充足する。これにより、第１トゥ側下縁線７１１と同様に、ロフト角が大きくなっても第１ヒール側下縁線７２１がより前方に膨らんで見えるため、番手間で、第１ヒール側下縁線７２１の形状の相違を小さくすることができる。その結果、番手間のアドレス時の違和感を小さくすることができ、クラブが変ったときのアドレスをし易くすることができる。
【００５２】
なお、ロフト角が大きくなっても各ゴルフクラブの第１ヒール側下縁線７２１の曲率半径が同じである場合、アドレス時にはゴルファーから見ると、ロフト角が大きいゴルフクラブほど、第１ヒール側下縁線７２１がヒール側に向かうにつれてよりバック側に傾斜しているように見える。そのため、アドレス時にヘッドをターゲット方向に合わせにくく感じるおそれがあり、特に、右利きのゴルファーの場合、意図した打ち出し方向よりも左に打ち出されるように感じるおそれもある。これに対し、上記のように、ロフト角が大きいほど、第１ヒール側下縁線７２１の曲率半径を小さくすることで、このようなアドレス時の違和感を小さくすることができる。
【００５３】
一方、ロフト角が大きいほど、第２ヒール側下縁線７２２の曲率半径を大きくすることができる。すなわち、Ｕ＃３，Ｕ＃４，Ｕ＃５の第２ヒール側下縁線７２２の曲率半径をＪ１，Ｊ２，Ｊ３とすると、Ｊ１＜Ｊ２＜Ｊ３の関係を充足する。これにより、すべてのゴルフクラブヘッド（Ｕ＃３，Ｕ＃４，Ｕ＃５）の第２ヒール側下縁線７２２が、同様に直線的に見えるため、番手間のアドレス時の違和感を小さくすることができる。その結果、クラブが変ったときのアドレスをし易くすることができる。
【００５４】
なお、ロフト角が大きくなっても各ゴルフクラブの第２ヒール側下縁線７２２の曲率半径が同じである場合、アドレス時にはゴルファーから見ると、ロフト角が大きいゴルフクラブほど、第２ヒール側下縁線７２２がヒール側に向かうにつれてよりバック側に傾斜しているように見える。そのため、アドレス時にヘッドをターゲット方向に合わせにくく感じるおそれがあり、特に、右利きのゴルファーの場合、意図した打ち出し方向よりも左に打ち出されるように感じるおそれもある。これに対し、上記のように、ロフト角が大きいほど、第２ヒール側下縁線７２２の曲率半径を大きくすることで、このようなアドレス時の違和感を小さくすることができる。
【００５５】
なお、各曲率半径は、具体的には、例えば、以下のように設定することができるが、これに限定されるものではない。
【００５６】
【表２】
2019165906.tif 000004
【００５７】
また、第１ヒール側下縁線７２１の曲率半径は、７５〜９５ｍｍであることが好ましい。そして、番手の隣接するクラブ間（例えば、Ｕ＃３とＵ＃４）での第１ヒール側下縁線７２１の曲率半径の差は、１〜２０ｍｍであることが好ましい。本実施形態によれば、前述したように番手間のアドレス時の違和感を小さくすることができるが、特に、曲率半径の差が大きすぎると、逆に、番手間のアドレス時の違和感が大きくなってきてしまうからである。
【００５８】
一方、第２ヒール側下縁線７２２の曲率半径は、７０〜１００ｍｍであることが好ましい。そして、番手の隣接するクラブ間（例えば、Ｕ＃３とＵ＃４）での第２ヒール側下縁線７２２の曲率半径の差は、１〜２０ｍｍであることが好ましい。本実施形態によれば、前述したように番手間のアドレス時の違和感を小さくすることができるが、特に、曲率半径の差が大きすぎると、逆に、番手間のアドレス時の違和感が大きくなってきてしまうからである。
【００５９】
なお、ヒール側下縁線７２１，７２２の曲率半径を調整する場合には、第１ヒール側下縁線７２１と第２ヒール側下縁線７２２のうち、少なくとも第１ヒール側下縁線７２１の曲率半径が調整されていればよい。また、上述した第１及び第２トゥ側下縁線７１１，７１２を上記実施形態のように調整するのではなく、ヒール側下縁線７２１，７２２のみを調整することもできる。
【００６０】
＜７．３＞
上記実施形態では、ロフト角が大きいクラブほど、第１トゥ側下縁線７１１の曲率半径が小さくなるように設定されているが、ゴルフクラブセットの中で、必ずしもすべての隣接する番手のゴルフクラブで、このような関係を充足していなくてもよい。すなわち、ゴルフクラブセットの中の、少なくとも、いずれか２つのロフト角の大きいクラブとロフト角の小さいクラブにおいて、このような関係が充足されていればよい。したがって、例えば、Ｕ＃３〜Ｕ＃６のクラブの第１トゥ側下縁線７１１の曲率半径をそれぞれＭ１，Ｍ２，Ｍ３，Ｍ４とすると、これらの関係を（Ｍ１＞Ｍ２＝Ｍ３＞Ｍ４）としたり、あるいは（Ｍ１＞Ｍ２＞Ｍ３＝Ｍ４）とすることができる。この点は、第２トゥ側下縁線７１２、第１ヒール側下縁線７２１、第２ヒール側下縁線７２２においても同じである。また、ゴルフクラブセットの中のいずれか２つにおいて、ロフト角が小さいクラブが本発明の第１ゴルフクラブに相当し、ロフト角が大きいクラブが本発明の第２ゴルフクラブに相当する。
【００６１】
＜７．４＞
上述した第１トゥ側下縁線７１１、第２トゥ側下縁線７１２、第１ヒール側下縁線７２１、第２ヒール側下縁線７２２が１つの曲率半径を有する円弧で形成されているときは、その曲率半径により、上述した関係を設定することができる。一方、各下縁線７１１、７１２，７２１，７２２が曲率半径の異なる円弧を組み合わせて形成されている場合には、各下縁線の両端と、中心（トゥ−ヒール方向の中心ではなく、線分の中心）とを通過する円弧を設定し、その円弧の曲率半径を採用することができる。
【００６２】
＜７．５＞
上記実施形態では、すべてのクラブで、ヘッド幅、ヘッド厚が一定であるが、必ずしも一定にしなくてもよく、異なるようにすることもできる。
【００６３】
＜７．６＞
上記実施形態に係るヘッドのクラウン部２は、隆起部２１を有しているが、隆起部２１の形状は特には限定されない。また、隆起部２１のないクラウン部２であってもよい。また、ソール部３の形状も特には限定されない。
【００６４】
＜７．７＞
また、本発明に係るゴルフクラブセットとは、同種のゴルフクラブを含むゴルフクラブセットを意味し、１つのゴルフクラブセットには、上記のようなユーティリティ型のゴルフクラブのみが含まれる。そして、本発明に係るゴルフクラブセットは、ユーティリティ型のゴルフクラブのほか、例えば、フェアウェイウッドなどのウッド型のヘッドを有するゴルフクラブや、アイアン型ヘッドを有するゴルフクラブによって構成することもできる。
【符号の説明】
【００６５】
１  フェース部
２  クラウン部
３  ソール部
４  ホーゼル部
７  下縁線
７１１  第１トゥ側下縁線
７１２  第２トゥ側下縁線
７２１  第１ヒール側下縁線
７２２  第２ヒール側下縁線
【図１】
2019165906.tif 000005
【図２】
2019165906.tif 000006
【図３】
2019165906.tif 000007
【図４Ａ】
2019165906.tif 000008
【図４Ｂ】
2019165906.tif 000009
【図５】
2019165906.tif 000010
【図６】
2019165906.tif 000011
【図７】
2019165906.tif 000012
【図８】
2019165906.tif 000013
【図９】
2019165906.tif 000014
【図１０】
2019165906.tif 000015
【図１１】
2019165906.tif 000016